(57)【要約】従来の移動体通信装置は、複数のディスプレイを単一のスクリーンとして使用しているため、大きな画面サイズを実現できるものの、複数のディスプレイの有効な利用方法に関する具体的な技術については何ら開示されていないため、ユーザインターフェースの向上が図られていないという課題があった。そこで、本発明に係る移動体通信装置は、一対のディスプレイ（３ａ，３ｂ）と、２種類のアプリケーションプログラム（２３，２４）を実行させて、これらのアプリケーションプログラム（２３，２４）の画面表示を、一対のディスプレイ（３ａ，３ｂ）の各々に割り当てて表示させる表示制御部（２２ａ）と、アプリケーションプログラム（２３，２４）を操作する操作部（８ａ，８ｂ）と、操作部（８ａ，８ｂ）による操作の対象となるアプリケーションプログラム（２３，２４）を選択するプログラム選択部（２２ｂ）とを備え、表示制御部（２２ａ）は、プログラム選択部（２２ｂ）で選択されたアプリケーションプログラム（２３，２４）の画面表示が割り当てられたディスプレイ（３ａ，３ｂ）に対して、操作部（８ａ，８ｂ）での操作可能画面であることを示すアクティブ表示を行うと共に、プロクラム選択部（２２ｂ）での選択が切り替えられた場合に、アクティブ表示を行うディスプレイ（３ａ，３ｂ）を切り替えることにより、ユーザインターフェースの向上を図るものである。
2003077098.tif 000002
【特許請求の範囲】
【請求項１】
一対のディスプレイと、
２種類のアプリケーションプログラムを実行させて、これらのアプリケーションプログラムの画面表示を、前記一対のディスプレイの各々に割り当てて表示させる表示制御部と、
アプリケーションプログラムを操作する操作部と、
前記操作部による操作の対象となるアプリケーションプログラムを選択するプログラム選択部とを備え、
前記表示制御部は、前記プログラム選択部で選択されたアプリケーションプログラムの画面表示が割り当てられたディスプレイに対して、前記操作部での操作可能画面であることを示すアクティブ表示を行うと共に、前記プロクラム選択部での選択が切り替えられた場合に、前記アクティブ表示を行うディスプレイを切り替えることを特徴とする移動体通信装置。
【請求項２】
前記表示制御部で行うアクティブ表示は、他方のディスプレイに比べて輝度或いは彩度を高くする表示であることを特徴とする請求項１記載の移動体通信装置。
【請求項３】
前記操作部は、使用状態に対応した機能が割り当てられたソフトキーであり、
前記表示制御部で行うアクティブ表示は、前記ソフトキーの機能を表す機能アイコンの表示であることを特徴とする請求項１記載の移動体通信装置。
【請求項４】
前記一対のディスプレイは上下に配列され、
前記操作部は、前記一対のディスプレイの下に並べて配置され、使用状態に対応した機能が割り当てられた複数のソフトキーであり、
前記表示制御部で行うアクティブ表示は、前記複数のソフトキーの機能を各々表す複数の機能アイコンの表示であり、これらの機能アイコンは、前記複数のソフトキーに対応する位置に各々表示されていることを特徴とする請求項１記載の移動体通信装置。
【請求項５】
アプリケーションプログラムの実行に伴う画面表示の入れ替えを要求する入替要求ボタンを更に備え、
前記表示制御部は、前記入替要求ボタンによる入れ替え要求に応じて、前記一対のディスプレイに割り当てられた画面表示を入れ替えることを特徴とする請求項１から請求項４のいずれか一項記載の移動体通信装置。
【請求項６】
いずれかのディスプレイを選択する切り換えボタンを更に備え、
前記プログラム選択部は、前記切り換えボタンで選択されたディスプレイに対して画面表示を行うアプリケーションプログラムを選択することを特徴とする請求項１から請求項５記載の移動体通信装置。
【請求項７】
利用者の顔画像を撮影するカメラと、
前記カメラで撮影された画像を解析して利用者が直視するディスプレイを特定する画像解析部とを更に備え、
前記プログラム選択部は、前記画像解析部で特定されたディスプレイに対して画面表示を行うアプリケーションプログラムを選択することを特徴とする請求項１から請求項５記載の移動体通信装置。
【請求項８】
２種類のアプリケーションプログラムを実行させて、これらのアプリケーションプログラムの画面表示を、一対のディスプレイの各々に割り当てて表示させると共に、
前記操作部による操作の対象となるアプリケーションプログラムが選択されると、選択されたアプリケーションプログラムの画面表示が割り当てられたディスプレイに対して、前記操作部での操作可能画面であることを示すアクティブ表示を行い、
さらにアプリケーションプログラムの選択が切り替えられた場合に、前記アクティブ表示を行うディスプレイを切り替えることを特徴とする移動体通信装置の表示制御方法。
【請求項９】
２種類のアプリケーションプログラムを実行させて、これらのアプリケーションプログラムの画面表示を、一対のディスプレイの各々に割り当てて表示させると共に、
前記操作部による操作の対象となるアプリケーションプログラムが選択されると、選択されたアプリケーションプログラムの画面表示が割り当てられたディスプレイに対して、前記操作部での操作可能画面であることを示すアクティブ表示を行い、
さらにアプリケーションプログラムの選択が切り替えられた場合に、前記アクティブ表示を行うディスプレイを切り替えることを特徴とする移動体通信装置の表示制御プログラム。
【発明の詳細な説明】
技術分野
本発明は、携帯電話機、無線通信機能を有する携帯情報端末等の移動体通信装置、その表示制御方法並びにプログラムに関するものであり、特に複数のディスプレイを備えるものに関する。
背景技術
従来、様々なタイプの携帯電話機が開発され利用されている。しかし、その多くは単一のディスプレイを備える携帯電話機であった。また、複数のディスプレイを備える携帯電話機として特開平９−２４７２５０号公報に記載されたものがある。この携帯電話機は、折りたたみ可能な２つのディスプレイを単一のスクリーンとして使用することにより、メール及び無線呼び出しによる文字メッセージ、ファクシミリ或いはパーソナルコンピュータ等からの情報量の多いデータ等を表示することができる。
しかし、上述のような従来の携帯電話機では、複数のディスプレイを単一のスクリーンとして使用しているため、大きな画面サイズを実現できるものの、複数のディスプレイの有効な利用方法に関する具体的な技術については何ら開示されていないため、ユーザインターフェースの向上が図られていないという課題があった。
本発明は、以上説明した課題を解決するためになされたものであり、複数のディスプレイを有する移動体通信装置のユーザインターフェースを向上させることを目的とする。
発明の開示
本発明の移動体通信装置は、一対のディスプレイと、２種類のアプリケーションプログラムを実行させて、これらのアプリケーションプログラムの画面表示を、一対のディスプレイの各々に割り当てて表示させる表示制御部と、アプリケーションプログラムを操作する操作部と、操作部による操作の対象となるアプリケーションプログラムを選択するプログラム選択部とを備え、表示制御部は、プログラム選択部で選択されたアプリケーションプログラムの画面表示が割り当てられたディスプレイに対して、操作部での操作可能画面であることを示すアクティブ表示を行うと共に、プロクラム選択部での選択が切り替えられた場合に、アクティブ表示を行うディスプレイを切り替えることを特徴とする。
また、表示制御部で行うアクティブ表示は、他方のディスプレイに比べて輝度或いは彩度を高くする表示であることを特徴とする。
さらに、操作部は、使用状態に対応した機能が割り当てられたソフトキーであり、表示制御部で行うアクティブ表示は、ソフトキーの機能を表す機能アイコンの表示であることを特徴とする。
また、一対のディスプレイは上下に配列され、操作部は、一対のディスプレイの下に並べて配置され、使用状態に対応した機能が割り当てられた複数のソフトキーであり、表示制御部で行うアクティブ表示は、複数のソフトキーの機能を各々表す複数の機能アイコンの表示であり、これらの機能アイコンは、複数のソフトキーに対応する位置に各々表示されていることを特徴とする。
さらに、アプリケーションプログラムの実行に伴う画面表示の入れ替えを要求する入替要求ボタンを更に備え、表示制御部は、入替要求ボタンによる入れ替え要求に応じて、一対のディスプレイに割り当てられた画面表示を入れ替えることを特徴とする。
また、いずれかのディスプレイを選択する切り換えボタンを更に備え、プログラム選択部は、切り換えボタンで選択されたディスプレイに対して画面表示を行うアプリケーションプログラムを選択することを特徴とする。
さらに、利用者の顔画像を撮影するカメラと、カメラで撮影された画像を解析して利用者が直視するディスプレイを特定する画像解析部とを更に備え、プログラム選択部は、画像解析部で特定されたディスプレイに対して画面表示を行うアプリケーションプログラムを選択することを特徴とする。
本発明の移動体通信装置の表示制御方法は、２種類のアプリケーションプログラムを実行させて、これらのアプリケーションプログラムの画面表示を、一対のディスプレイの各々に割り当てて表示させると共に、操作部による操作の対象となるアプリケーションプログラムが選択されると、選択されたアプリケーションプログラムの画面表示が割り当てられたディスプレイに対して、操作部での操作可能画面であることを示すアクティブ表示を行い、さらにアプリケーションプログラムの選択が切り替えられた場合に、アクティブ表示を行うディスプレイを切り替えることを特徴とする。
本発明の移動体通信装置の表示制御プログラムは、２種類のアプリケーションプログラムを実行させて、これらのアプリケーションプログラムの画面表示を、一対のディスプレイの各々に割り当てて表示させると共に、操作部による操作の対象となるアプリケーションプログラムが選択されると、選択されたアプリケーションプログラムの画面表示が割り当てられたディスプレイに対して、操作部での操作可能画面であることを示すアクティブ表示を行い、さらにアプリケーションプログラムの選択が切り替えられた場合に、アクティブ表示を行うディスプレイを切り替えることを特徴とする。
発明を実施するための最良の形態
以下、本発明に係る移動体通信装置、移動体通信装置の表示制御方法、および移動体通信装置の表示制御プログラムの好適な実施の形態について添付図面を参照して説明する。
実施の形態１．
図１は、本実施の形態に係る移動体通信装置の詳細を示すブロック図である。同図に示すように、ＭＰＵ（Ｍｉｃｒｏ  Ｐｒｏｃｅｓｓｉｎｇ  Ｕｎｉｔ）１は、各デバイスの動作を制御する機能を有し、バスを介してビデオ回路２、ビデオデコーダ／エンコーダ、Ｉ／Ｏ（Ｉｎｐｕｔ  ａｎｄ  Ｏｕｔｐｕｔ）コントローラ６、メモリ９、送受信回路１０、音声デコーダ／エンコーダ１２に接続されている。ビデオ回路２は、図示しないビデオメモリを備え、液晶表示装置３ａ、３ｂを電気的に駆動させる。ここで、ビデオ回路２は液晶表示装置（第１のディスプレイ）３ａ及び液晶表示装置（第２のディスプレイ）３ｂをそれぞれ独立に制御することができる。
液晶表示装置３ａ、３ｂは、ビデオ回路２からの制御信号に従って文字、静止画像、動画などの映像を表示する。ビデオデコーダ／エンコーダ４は、カメラ５で撮像された映像をＭＰＥＧ４（Ｍｏｖｉｎｇ  Ｐｉｃｔｕｒｅ  Ｅｘｐｅｒｔｓ  Ｇｒｏｕｐ  ４）等のエンコーダ方式に従って圧縮データにエンコードするエンコーダと、アンテナ１１及び送受信回路１０を介して受信したエンコードされたデータをデコードし、元の映像に復元するデコーダとを備える回路である。このビデオデコーダ／エンコーダ４として、例えば、市販されているＭＰＥＧデコーダ／エンコーダ用ＩＣが使用できる。
Ｉ／Ｏコントローラ６は、各種デバイスから入力信号をＭＰＵ１へ送信し、またＭＰＵ１から各種デバイスへの出力信号を送信する入出力処理を行うコントローラである。開閉センサ７は、移動可能に設けられた液晶表示装置３ｂの位置を検出するセンサである。例えば、液晶表示装置３ｂが閉じた位置に移動した場合に、スイッチが液晶表示装置３ｂ又はその筐体によって押されるような位置にスイッチを設けてもよい。複数の操作ボタン８は、それぞれ対応する機能や文字が割り付けられており、それぞれ入力デバイスとして使用される。
メモリ（記憶部）９は各種プログラム及びデータを記憶する。メモリの種類（揮発性メモリ、不揮発性メモリ等）は、データの種類に応じて適切なものを使用する。送受信回路（送受信部）１０は、アンテナ１１を介した音声やデータの通信を行う回路である。送受信回路１０は様々な種類の回路が知られており、既に広く普及しているＰＤＣ（Ｐｅｒｓｏｎａｌ  Ｄｅｇｉｔａｌ  Ｃｅｌｌｕｌａｒ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＣＤＭＡ（Ｃｏｄｅ  Ｄｉｖｉｓｉｏｎ  Ｍｕｌｔｉｐｌｅ  Ａｃｃｅｓｓ）方式、或いは、これから広く普及するであろう次世代の通信方式、Ｗ−ＣＤＭＡ（Ｗｉｄｅ−ｂａｎｄ  Ｃｏｄｅ  Ｄｉｖｉｓｉｏｎ  Ｍｕｌｔｉｐｌｅ  Ａｃｃｅｓｓ）、ｃｄｍａ２０００方式等の通信方式用の送受信回路を使用することができる。
音声デコーダ／エンコーダ１２は、マイク１４により取得された音声信号を符号化するエンコーダと、送受信回路１０で受信した符号化されたデータを音声信号にデコードするデコーダとを備える回路である。音声の符号化方式としては、ＣＥＬＰ（Ｃｏｄｅ  Ｅｘｉｔｅｄ  Ｌｉｎｅａｒ  Ｐｒｅｄｉｃｔｉｏｎ）方式の符号化方式が広く知られている。音声デコーダ／エンコーダ１２でデコードされた音声信号は、スピーカ１３を介して再生される。なお、スピーカ１３は、音声信号に限らず、図示しないシンセサイザ回路で生成された電気信号によって音楽、効果音を再生する。
図２及び図３は、移動体通信装置の正面図であり、図１と同一の符号は同一又は相当の部分を表している。ここで、図２は液晶表示装置３ｂを液晶表示装置３ａの背面側に隠した状態を示している。液晶表示装置３ｂは図３に示すように、本体筐体２０に対してスライドする構造を有しており、ユーザは、液晶表示装置３ａ及び３ｂを同時に使用することができる。また、ボタン８ａ，８ｂ（操作部）およびボタン８ｃ〜８ｅは操作ボタン８として機能する入力デバイスであり、ボタン８ａ，８ｂは、液晶表示装置３ａの下端に並べて配置されている。
ソフトキー８ａは、ボタンの周縁部を押すことにより方向示す信号を生成する方向キーの機能と、ボタンの中心部を押下することにより指定した選択肢を確定し次の動作を指示する決定ボタンの機能を有する。例えば、ユーザがメニュー上の選択肢を指定する場合にスクリーンに表示されたカーソル又は強調表示の移動を指示し、ボタンを押下することにより、ＭＰＵ１はその選択肢に割り当てられた処理を実行する。
ソフトキー８ｂは、液晶表示装置３ａ若しくは液晶表示装置３ｂに表示された選択肢に対応して設けられ、表示された機能の実行を指示する場合に、使用される入力デバイスである。また、数字ボタン８ｃは、数字又は文字を入力するために使用される入力デバイスである。さらに、切り替えボタン８ｄは、液晶表示装置３ａと液晶表示装置３ｂとのいずれか一方の操作可能画面を切り替えるために使用される入力デバイスである。また、入替要求ボタン８ｅは、液晶表示装置３ａの表示画面と液晶表示装置３ｂの表示画面とを入れ替えるために使用される入力デバイスである。
図４及び図５は、図２及び図３に示した移動体通信装置の側面図であり、これらの図において図１と同一の符号は同一又は同等の部分を表している。ここで、図４は図２と同様に、液晶表示装置３ｂが隠れており、使用できない状態を示している。一方、図５は図３に対応し、液晶表示装置３ａが本体筐体２０に対してスライドし、引き出された状態を示している。図５を見て判るように、本体筐体２０と液晶表示装置３ｂを支持する副筐体２１とは、スライド面が曲面上に構成されている。そのため、副筐体２１を引き出すと、副筐体２１並びにカメラ５、液晶表示装置３ｂが正面側に角度を変えながらせり出してくるため、カメラ５及び液晶表示装置３ｂがユーザにとって使用しやすい角度に調整される。
図６（ａ）は、従来の一般的な移動体通信装置に設けられたカメラを用いて利用者を撮影する状態を示す図である。同図に示すように、従来の一般的な移動体通信装置は、表示画面とカメラとが平面上に配置されている。このため、表示画面が見易い角度になるように装置を保持した場合、図６（ｂ）に示すように、カメラで撮影される利用者の画像は下から見上げる角度の画像となる。
これに対して、本実施の形態の移動体通信装置であれば、図７（ａ）に示すように、液晶表示装置３ａ，３ｂの表示画面とカメラ５とが曲面上に配置されている。このため、表示画面が見易い角度になるように装置を保持した場合、図７（ｂ）に示すように、カメラ５で撮影される利用者の画像は正面から捉えた比較的自然な画像となる。
図８は、メモリ９の内部を示すブロック図である。同図に示すように、メモリ９には、液晶表示装置３ａ，３ｂを表示制御する表示制御プログラム２２と、ブラウザソフトウェア（アプリケーションプログラム）２３と、メールソフトウェア（アプリケーションプログラム）２４とが記憶されている。また、表示制御プログラム２２には、ブラウザソフトウェア２３とメールソフトウェア２４を実行させて、これらのソフトウェア２３，２４の画面表示を、液晶表示装置３ａ，３ｂの各々に割り当てて表示させる表示制御部２２ａと、ソフトキー８ａ，８ｂによる操作の対象となるソフトウェア２３，２４を選択するプログラム選択部２２ｂとが設けられている。
なお、本実施の形態では、ブラウザソフトウェア２３とメールソフトウェア２４とを用いているが、スケジュール管理ソフトウェア、文書作成ソフトウェアなどその他のソフトウェアを用いてもよい。
次に、本実施の形態の動作について図９のフローチャートを用いて説明する。まず、利用者がソフトキー８ａの中心部を押下することによって、ＭＰＵ１の制御の下で表示制御プログラム２２が起動され、液晶表示装置３ａ，３ｂに初期画面が表示される（ステップ１００）。この状態で利用者がソフトキー８ａの上端部或いは下端部を押下することにより、図１０に示すようなメニュー画面が液晶表示装置３ａに表示される（ステップ１０１）。メニュー画面の初期状態では、所定のメニューを指定するためのフォーカス（反転表示されたブロック）が最上段のメニューに重畳される（但し、同図ではフォーカスが既に中段に移動した状態を示している）。更に、利用者が指定ボタン８ａの上端部或いは下端部を押下し続けることにより、フォーカスが上下に移動して、所定のメニューを選択することができる（ステップ１０２）。
ここで、利用者がＷｅｂページの表示を行いたい場合、利用者はまずソフトキー８ａの上端部或いは下端部を押下して、フォーカスの位置をメニュー中の「Ｗｅｂページ表示」に合わせる。さらに利用者がソフトキー８ａの中心部を押下することにより、Ｗｅｂページの表示処理が選択される（ステップ１０３）。Ｗｅｂページの表示処理が選択された場合、ブラウザソフトウェア２３が起動され、Ｗｅｂページを液晶表示装置３ａに表示させる（ステップ１０４）。
次に、利用者が液晶表示装置３ａに表示されたＷｅｂページを参照しながら、送信メールを作成したい場合、利用者がソフトキー８ｂ（現在「メニュー」の機能が割り付けられているものとする）を押下すると、図１０のメニュー画面が液晶表示装置３ｂに表示される（ステップ１０１）。そして、利用者がソフトキー８ａの上端部或いは下端部を押下して、フォーカスの位置をメニュー中の「送信メール作成」に合わせて、指定ボタン８ａの中心部を押下すると、送信メールの作成処理が選択される（ステップ１０２，１０５）。送信メールの作成処理が選択された場合、メールソフトウェア２４が起動され、送信メールの作成画面を液晶表示装置３ｂに表示させる（ステップ１０６）。その結果、図１１（ａ）に示すように、液晶表示装置３ａにＷｅｂページが表示され、液晶表示装置３ｂに送信メールの作成画面がそれぞれ表示される。
最新に起動されたソフトウェアはメールソフトウェア２４であるため、ソフトキー８ａ〜８ｃの操作に基づいてメールソフトウェア２４を制御することが可能となる。このことを明確にするため、表示制御部２２ａは、液晶表示装置３ｂに対して以下のアクティブ表示を行っている。第１に、液晶表示装置３ａの表示画面に比べて、液晶表示装置３ｂの表示画面が高輝度になるように画面制御する。また第２に、表示制御部２２ａは、液晶表示装置３ｂの画面の下部に各ソフトキー８ａ〜８ｃの機能を表す機能アイコン２５を付加する。
このように、液晶表示装置３ｂをアクティブ表示することによって、液晶表示装置３ａ，３ｂに表示されたいずれの画面が各ソフトキー８ａ〜８ｃで操作可能な画面であるかを、利用者は容易に把握することができる。また、各機能アイコン２５は、各ソフトキー８ａ〜８ｃに各々対応する位置に表示されているので、各ソフトキー８ａ〜８ｃに割り付けられた機能を視覚的に把握することができる。
なお、アクティブ表示および非アクティブ表示は、上記の例に限定されることなく、各ソフトキー８ａ〜８ｃで操作可能な画面であることを示す表示であれば、以下に示すような他の表示方法を用いてもよい。例えば、（１）アクティブ表示に高彩度のグラフィックを用い、非アクティブ表示に低彩度のグラフィックを用いる、（２）アクティブ表示画面の輪郭を点滅させる、（３）非アクティブ表示画面と異なる背景色でアクティブ表示画面を表示させるなどがある。また、このようなアクティブ表示は、ハードデバイスとグラフィックソフトウェアのいずれで対応することも可能である。
アクティブ表示の切り替え
次に、利用者が液晶表示装置３ａに表示されたＷｅｂページを操作したい場合、利用者が切り換えボタン８ｄを押下することにより（ステップ１０７）、プログラム選択部２２ｂの処理が実行され、図１１（ｂ）に示すように、液晶表示装置３ｂの表示がアクティブから非アクティブに変更されると共に、液晶表示装置３ａの表示が非アクティブからアクティブに変更される（ステップ１０８）。即ち、液晶表示装置３ｂについては、表示画面の輝度が低下して、各機能アイコン２５が消滅する。また、液晶表示装置３ｂについては、表示画面の輝度が高くなり、各機能アイコン２５が画面の下部に表示される。そして、以降の処理では、各ソフトキー８ａ〜８ｃの操作によって、液晶表示装置３ａに表示されたＷｅｂページを制御することが可能となる。
このように、切り換えボタン８ｄを押下するだけで、液晶表示装置３ａと液晶表示装置３ｂとの間で操作可能画面の切り換えを極めて容易に行うことができるので、複数のアプリケーションプログラムを交互に使用したいと考える利用者のニーズにマッチした優れたユーザインタフェースを提供することができる。
表示画面の入れ替え
また、液晶表示装置３ｂの表示画面の方が、液晶表示装置３ａの表示画面より大きいなどの理由によって、利用者が主に液晶表示装置３ｂを操作画面として使用する場合がある。この場合には、利用者が入替要求ボタン８ｅを押下することにより、液晶表示装置３ａの画面表示と液晶表示装置３ｂの画面表示とを入れ替えることができる。
即ち、図１２（ａ）に示すように、液晶表示装置３ａにＷｅｂページを非アクティブ表示し、液晶表示装置３ｂに送信メール作成画面をアクティブ表示した状態で、利用者が入替要求ボタン８ｅを押下すると（ステップ１０７）、図１２（ｂ）に示すように、液晶表示装置３ａに送信メール作成画面が非アクティブ表示され、液晶表示装置３ｂにＷｅｂページがアクティブ表示される（ステップ１０９）。そして、以降の処理では、各ソフトキー８ａ〜８ｃの操作によって、液晶表示装置３ｂに表示されたＷｅｂページを制御することが可能となる。
このように、入替要求ボタン８ｅを押下するだけで、液晶表示装置３ａと液晶表示装置３ｂとの画面表示の入れ替えを極めて容易に行うことができるので、常に一方の画面を操作可能画面として特定したいと考える利用者のニーズにマッチした優れたユーザインタフェースを提供することができる。
実施の形態２．
次に、実施の形態２について説明する。実施の形態２に係る移動体通信装置のハードウェア構成は、図１〜図５に示す実施の形態１と同一又は同等であるため、その説明は省略する。
図１３は、実施の形態２に係る移動体通信装置が有するメモリ９の内部を示すブロック図である。図１３に示すように、メモリ９には、液晶表示装置３ａ，３ｂを表示制御する表示制御プログラム２６と、ブラウザソフトウェア（アプリケーションプログラム）２７と、メールソフトウェア（アプリケーションプログラム）２８とが記憶されている。また、表示制御プログラム２６には、ブラウザソフトウェア２７とメールソフトウェア２８を実行させて、これらのソフトウェア２７，２８の画面表示を、液晶表示装置３ａ，３ｂの各々に割り当てて表示させる表示制御部２６ａと、ソフトキー８ａ，８ｂによる操作の対象となるソフトウェア２７，２８を選択するプログラム選択部２６ｂと、カメラ５で撮影された画像を解析して利用者が直視する液晶表示装置３ａ，３ｂを特定する画像解析部２６ｃとが設けられている。
次に、本実施の形態の動作について図１４のフローチャートを用いて説明する。まず、液晶表示装置３ａ，３ｂにそれぞれ別のアプリケーションが表示されている状態で、利用者が液晶表示装置３ａの表示画面に視線を向けると、利用者の顔画像がカメラ５で撮影される（ステップ１２０）。撮影された画像データは画像解析部２６ｃに与えられ、画像解析部２６ｃでは既存の画像解析技術を用いて利用者の視線が注がれている液晶表示装置３ａ，３ｂを特定する（ステップ１２１）。画像解析部２６ｃでの解析結果はプログラム選択部２６ｂに与えられ、プログラム選択部２６ｂでは、現在アクティブ表示している液晶表示装置３ａ，３ｂと、画像解析部２６ｃで特定した液晶表示装置３ａ，３ｂとの比較を行う（ステップ１２２）。比較の結果、これらの液晶表示装置３ａ，３ｂが一致する場合には処理を終了する（ステップ１２３）。また、比較の結果、液晶表示装置３ａ，３ｂが一致しない場合には、画像解析部２６ｃで特定した液晶表示装置３ａ，３ｂをアクティブ表示にして、現在アクティブ表示している液晶表示装置３ａ，３ｂを非アクティブ表示に変更する（ステップ１２４）。
以上の処理によって、利用者の視線が注がれる液晶表示装置３ａ，３ｂが常にアクティブ表示されるので、各ソフトキー８ａ〜８ｃの操作に基づいて、この画面に表示するアプリケーションプログラムの制御を行うことが可能になる。また、液晶表示装置３ａ，３ｂのアクティブ表示の切り替えは、利用者の視線の移動に基づいて自動で行われるので、操作数が削減され、作業効率が向上する。
なお、各実施の形態では、一体型の移動体通信装置を例にして説明したが、２つ折れ型移動体通信装置、通信機能付きＰＤＡ、通信機能付きノートパソコン等にも適用可能であることは言うまでもない。
産業上の利用可能性
以上のように、本発明に係る移動体通信装置、移動体通信装置の表示制御方法、および移動体通信装置のプログラムは、２つのディスプレイへの表示に工夫を加えて、利用者の操作性を向上させているので、大容量且つ多種類のデータを送受信させる移動体通信装置における表示インターフェースとしての利用に適している。
【図面の簡単な説明】
図１は、実施の形態１に係る移動体通信装置の詳細を示すブロック図である。
図２は、実施の形態１に係る移動体通信装置を縮めた状態を示す正面図である。
図３は、実施の形態１に係る移動体通信装置を延ばした状態を示す正面図である。
図４は、実施の形態１に係る移動体通信装置を縮めた状態を示す側面図である。
図５は、実施の形態１に係る移動体通信装置を延ばした状態を示す側面図である。
図６は、従来の一般的な移動体通信装置に設けられたカメラを用いて利用者を撮影する状態を示す図である。
図７は、実施の形態１に係る移動体通信装置に設けられたカメラを用いて利用者を撮影する状態を示す図である。
図８は、実施の形態１に係る移動体通信装置が有するメモリの内部を示すブロック図である。
図９は、実施の形態１に係る移動体通信装置の表示制御方法を示すフローチャートである。
図１０は、実施の形態１に係る液晶表示装置の表示例を示す図である。
図１１は、実施の形態１に係る液晶表示装置の表示例を示す図である。
図１２は、実施の形態１に係る液晶表示装置の表示例を示す図である。
図１３は、実施の形態２に係る移動体通信装置が有するメモリの内部を示すブロック図である。
図１４は、実施の形態２に係る移動体通信装置の表示制御方法を示すフローチャートである。
【図１】
2003077098.tif 000003
【図２】
2003077098.tif 000004
【図３】
2003077098.tif 000005
【図４】
2003077098.tif 000006
【図５】
2003077098.tif 000007
【図６】
2003077098.tif 000008
【図７】
2003077098.tif 000009
【図８】
2003077098.tif 000010
【図９】
2003077098.tif 000011
【図１０】
2003077098.tif 000012
【図１１】
2003077098.tif 000013
【図１２】
2003077098.tif 000014
【図１３】
2003077098.tif 000015
【図１４】
2003077098.tif 000016
【国際調査報告】
2003077098.tif 000017
2003077098.tif 000018